Podtech/llm-jp-corpus-v4-ja_patent huggingface dataset:
【手続補正書】
【提出日】令和1年10月17日(2019.10.17)
【手続補正１】
【補正対象書類名】特許請求の範囲
【補正対象項目名】全文
【補正方法】変更
【補正の内容】
【特許請求の範囲】
【請求項１】
共通の情報データセットによってパラメータ表記される候補プロセスセットから、ビデオデータに適用されるプロセスを選択する方法であって、各候補プロセスが前記情報データセットの特定値の組み合わせに基づいて選択され得る、方法において、
−  前記情報データセットの各情報データのための入力値を取得することと、
−  結果としての前記入力値の組み合わせに基づいてビデオデータに適用される前記候補プロセスを選択することと、
を含むことを特徴とする方法。
【請求項２】
前記情報セットが、色符号化空間に関連する情報データを含み、別の情報データが、変換が適用されるように意図されている光領域に関連し、候補プロセスがプレトーンマッピング、色リマッピング、及びポストトーンマッピングを含み、且つ別の候補プロセスが色体積変換、プレトーンマッピング、色リマッピング、及びポストトーンマッピングを含み、及び前記２つのプロセスの１つを選択することが前記色符号化空間及び前記光領域に依存する、請求項１に記載の方法。
【請求項３】
前記情報セットが電気−光伝達関数のパラメトリックモデルのパラメータを含み、候補プロセスが、前記パラメータを備えた電気−光伝達関数の前記パラメトリックモデルを用いることにより、ビデオデータを再構成することを含み、且つ別の候補プロセスがデフォルトの電気−光伝達関数を含み、及び前記２つの候補プロセスの１つを選択することが前記パラメータの前記特定値に依存する、請求項１に記載の方法。
【請求項４】
共通の情報データセットによってパラメータ表記される候補プロセスセットから、ビデオデータに適用されるプロセスを選択する装置であって、各候補プロセスが前記情報データセットの特定値の組み合わせに基づいて選択され得る、装置において、
−  前記情報データセットの各情報データのための入力値を取得することと、
−  結果としての前記入力値の組み合わせに基づいてビデオデータに適用される前記候補プロセスを選択することと、
を行うように構成されたプロセッサを含むことを特徴とする装置。
【請求項５】
プログラムがコンピュータによって実行されると、請求項１から３のいずれか一項に記載の方法を前記コンピュータに実行させる命令を含むコンピュータプログラム。
【請求項６】
プログラムがコンピュータによって実行されると、請求項１から３のいずれか一項に記載の方法を前記コンピュータに実行させる命令を含むコンピュータ可読媒体。
【手続補正２】
【補正対象書類名】明細書
【補正対象項目名】０１４７
【補正方法】変更
【補正の内容】
【０１４７】
多数の実装形態が説明された。しかしながら、様々な修正形態がなされ得ることが理解されるであろう。例えば、異なる実装形態の要素は、他の実装形態を生成するために組み合わされるか、補足されるか、修正されるか、又は除去され得る。加えて、当業者は、他の構造及びプロセスが、開示された構造及びプロセスの代用とされ、結果としての実装形態が、開示された実装形態と少なくともほぼ同じ結果を達成するために、少なくともほぼ同じ方法で少なくともほぼ同じ機能を実行することを理解されるであろう。従って、これら及び他の実装形態は、本出願によって想定されている。
（付記１）
共通の情報データセットによって駆動される候補プロセスセットから、ビデオデータに適用されるプロセスを選択する方法であって、各候補プロセスが前記情報データセットの特定値の組み合わせから選択され得る、方法において、
−  前記情報データセットの各情報データのための入力値を取得することと、
−  特定値の組み合わせの全ての特定値が前記入力値と等しい場合、特定値の前記組み合わせに関連するビデオデータに適用される前記候補プロセスを選択することと、
を含むことを特徴とする方法。
（付記２）
前記情報セットが、色符号化空間に関連する情報データを含み、別の情報データが、変換が適用されるように意図されている光領域に関連し、候補プロセスがプレトーンマッピング、色リマッピング、及びポストトーンマッピングを含み、且つ別の候補プロセスが色体積変換、プレトーンマッピング、色リマッピング、及びポストトーンマッピングを含み、及び前記２つのプロセスの１つを選択することが前記色符号化空間及び前記光領域に依存する、付記１に記載の方法。
（付記３）
前記情報セットが電気−光伝達関数のパラメトリックモデルのパラメータを含み、候補プロセスが、前記パラメータを備えた電気−光伝達関数の前記パラメトリックモデルを用いることにより、ビデオデータを再構成することを含み、且つ別の候補プロセスがデフォルトの電気−光伝達関数を含み、及び前記２つの候補プロセスの１つを選択することが前記パラメータの前記特定値に依存する、付記１に記載の方法。
（付記４）
共通の情報データセットによって駆動される候補プロセスセットから、ビデオデータに適用されるプロセスを選択する装置であって、各候補プロセスが前記情報データセットの特定値の組み合わせから選択され得る、装置において、
−  前記情報データセットの各情報データのための入力値を取得することと、
−  特定値の組み合わせの全ての特定値が前記入力値と等しい場合、特定値の前記組み合わせに関連するビデオデータに適用される前記候補プロセスを選択することと、
を行うように構成されたプロセッサを含むことを特徴とする装置。
（付記５）
共通の情報データセットによって駆動される候補プロセスセットから、ビデオデータに適用されるプロセスを選択するために用いられる、前記情報データセットを担持するビデオ信号。
（付記６）
プログラムがコンピュータ上で実行されると、付記１に記載の方法のステップを実行するプログラムコード命令を含むコンピュータプログラム製品。
（付記７）
少なくとも付記１に記載の方法のステップをプロセッサに実行させるための命令を格納しているプロセッサ可読媒体。
（付記８）
プログラムがコンピューティング装置上で実行されると、付記１に記載の方法のステップを実行するためのプログラムコード命令を担持する非一時的記憶媒体。
【手続補正書】
【提出日】平成31年1月22日(2019.1.22)
【手続補正１】
【補正対象書類名】特許請求の範囲
【補正対象項目名】全文
【補正方法】変更
【補正の内容】
【特許請求の範囲】
【請求項１】
以下：
（i）配列番号１のエンドセリンＡ受容体リガンド結合ドメインのアミノ酸配列
（ii）配列番号２のエンドセリンＡ受容体リガンド結合ドメインのアミノ酸配列
（iii）配列番号３のエンドセリンＡ受容体リガンド結合ドメインのアミノ酸配列
（iv）配列番号４のエンドセリンＡ受容体リガンド結合ドメインのアミノ酸配列
（v）配列番号５のエンドセリンＡ受容体リガンド結合ドメインのアミノ酸配列
（vi）配列番号６のエンドセリンＡ受容体リガンド結合ドメインのアミノ酸配列
（vii）配列番号７のエンドセリンＢ受容体リガンド結合ドメインのアミノ酸配列
（viii）配列番号８のエンドセリンＢ受容体リガンド結合ドメインのアミノ酸配列、又は
（ix）配列番号9のエンドセリンＢ受容体リガンド結合ドメインのアミノ酸配列を含む、融合ポリペプチド。
【請求項２】
ヒトＩｇＧ１のＦｃ部分に融合した、請求項１に記載の融合ポリペプチド。
【請求項３】
配列番号１、配列番号２、配列番号３、配列番号４、配列番号５、配列番号６、配列番号７、配列番号８又は配列番号９のアミノ酸配列を含む、請求項２に記載の融合ポリペプチド。
【請求項４】
単量体の形態である、請求項１〜３のいずれか一項に記載の融合ポリペプチド。
【請求項５】
多量体の形態である、請求項１〜３のいずれか一項に記載の融合ポリペプチド。
【請求項６】
請求項３に記載の融合ポリペプチドをコードする組換え核酸分子。
【請求項７】
請求項６に記載の組換え核酸分子を含むベクター。
【請求項８】
前記融合ポリペプチドをコードする前記核酸分子が発現制御配列に作動可能に連結した、請求項７に記載のベクター。
【請求項９】
請求項３に記載の融合ポリペプチドの多量体を含む、組成物。
【請求項１０】
前記多量体が二量体である、請求項９に記載の組成物。
【請求項１１】
エンドセリン-１が関連する疾患又は病気を治療するための請求項１〜５のいずれか一項に記載の融合ペプチドを含む組成物であって、前記エンドセリン-１が関連する疾患又は病気が、子癇前症、心血管疾患又は神経変性障害である、組成物。
【手続補正書】
【提出日】平成31年2月12日(2019.2.12)
【手続補正１】
【補正対象書類名】特許請求の範囲
【補正対象項目名】全文
【補正方法】変更
【補正の内容】
【特許請求の範囲】
【請求項１】
環境中の病原体を低減させるため、又は環境中のバイオフィルムを低減させるための組成物であって、
a) 安定化剤及び少なくとも1つのBacillus属の菌種；又は
b) 安定化剤、少なくとも1つのBacillus属の菌種、及びプロテアーゼ若しくはアミラーゼ；又は
c) 安定化剤、少なくとも1つのBacillus属の菌種、及び消毒剤；又は
d) 安定化剤、少なくとも1つのBacillus属の菌種、消毒剤、及びプロテアーゼ若しくはアミラーゼ；又は
e) 安定化剤、少なくとも1つのBacillus属の菌種、及び1種以上の界面活性剤；又は
f) 安定化剤、少なくとも1つのBacillus属の菌種、1種以上の界面活性剤、及び消毒剤；又は
g) 安定化剤、少なくとも1つのBacillus属の菌種、1種以上の界面活性剤、及びプロテアーゼ若しくはアミラーゼ；又は
h) 安定化剤、少なくとも1つのBacillus属の菌種、1種以上の界面活性剤、プロテアーゼ若しくはアミラーゼ、及び消毒剤
を含み、
前記安定化剤は、プロピレングリコール、ポリエチレングリコール (PEG)、グリセリン、グリセロール、酸化エチレンのオリゴマー若しくはポリマー、メトキシポリエチレングリコール、酸化ポリエチレン、ポリオキシエチレン、単純ポリオール、1,2-ジヒドロキシプロパン、1,2-プロパンジオール、メチルグリコール、又はトリメチルグリコールであり、前記消毒剤は、塩素、二酸化塩素、アルコール、過酸化水素、次亜塩素酸ナトリウム、又は酸化剤であり、
前記組成物は、前記環境中の病原体のコロニー再形成又はバイオフィルムのコロニー再形成を防止する、
組成物。
【請求項２】
前記1種以上の界面活性剤が、前記組成物の0.5%〜1.0%、1%〜10%、10%〜20%、20%〜30%、30%〜40%、40%〜50%、50%〜60%、60%〜70%、70%〜80%、80%〜90%、又は90%〜99%の全体積である、請求項1に記載の組成物。
【請求項３】
前記安定化剤が、前記組成物の0.1%〜0.2%、0.2%〜0.3%、0.3%〜0.4%、0.4%〜0.5%、0.5%〜0.6%、0.6%〜0,7%、0.7%〜0.8%、0.8%〜0.9%、0.9%〜1.0%、1.0%〜2.0%、2%〜5%、5%〜10%、10%〜20%、20%〜30%、30%〜40%又は40%〜50%の全体積である、請求項1に記載の組成物。
【請求項４】
前記プロテアーゼが、前記組成物の0.1%〜0.2%、0.2%〜0.3%、0.3%〜0.4%、0.4%〜0.5%、0.5%〜0.6%、0.6%〜0,7%、0.7%〜0.8%、0.8%〜0.9%、0.9%〜1.0%、1.0%〜2.0%、2.0%〜3.0%、3.0%〜4.0%、4.0%〜5.0%、5%〜10%、10%〜20%、20%〜30%、30%〜40%又は40%〜50%の全体積である、請求項1に記載の組成物。
【請求項５】
前記アミラーゼが、前記組成物の0.01%〜0.02%、0.02%〜0.03%、0.03%〜0.04%、0.04%〜0.05%、0.05%〜0.06%、0.06%〜0.07%、0.07%〜0.08%、0.08%〜0.09%、0.09%〜0.1%、0.1%〜1.0%、1.0%〜2.0%、2.0%〜3.0%、3.0%〜4.0%、4.0%〜5.0%、5%〜10%、10%〜20%、20%〜30%、30%〜40%又は40%〜50%の全体積である、請求項1に記載の組成物。
【請求項６】
前記少なくとも1つのBacillus属の菌種が、前記組成物の0.01%〜0.02%、0.02%〜0.03%、0.03%〜0.04%、0.04%〜0.05%、0.05%〜0.06%、0.06%〜0.07%、0.07%〜0.08%、0.08%〜0.09%、0.09%〜1.0%、1.0%〜2.0%、2.0%〜3.0%、3.0%〜4.0%、4.0%〜5.0%、5.0%〜6.0%、6.0%〜7.0%、7.0%〜8.0%、8.0%〜9.0%、9.0%〜10.0%、10.0%〜15.0%、15.0%〜20.0%又は20.0%〜25.0%の全体積である、請求項1に記載の組成物。
【請求項７】
前記消毒剤が、前記組成物の0.000001%〜0.000010%、0.00001%〜0.00010%、0.0001%〜0.0010%、0.0010%〜0.010%、0.010%〜0.1%、0.10%〜1.0%、又は1.0%〜10%の全体積である、請求項1に記載の組成物。
【請求項８】
前記少なくとも1つのBacillus属の菌種が、Bacillus subtilis、Bacillus licheniformis、Bacillus pumilus、Bacillus coagulans、Bacillus amyloliquefaciens、Bacillus magaterium又はBacillus mojavensisである、請求項1に記載の組成物。
【請求項９】
前記環境が、表面、空気、空間、哺乳動物の呼吸器系、哺乳動物の胃腸管、皮膚、創傷、又は水溶液である、請求項1に記載の組成物。
【請求項１０】
前記界面活性剤が、石鹸、洗剤、湿潤剤、乳化剤、発泡剤若しくは分散剤である、
請求項1に記載の組成物。
【請求項１１】
前記病原体が、病原性細菌、ウイルス又は真菌である、請求項1に記載の組成物。
【請求項１２】
前記バイオフィルムが病原体を含み、病原体が病原性細菌、ウイルス又は真菌である、請求項1に記載の組成物。
【請求項１３】
a) ふき取り布、スポンジ若しくはクロス上に存在するか、又は
b) スプレー、ミスト、霧、粒子のコロイド状懸濁液、半固体形態若しくはエアロゾルスプレーであるか、又は
c) フォームである、
請求項1に記載の組成物。
【請求項１４】
a) A1+、A2+、B1+、CF+、C+、CO+、AC-C、AC-L、HC+、PBフォーム、A1+ふき取り布、CO+ ふき取り布、M+、M+2、M+2s、W+、P+、W+2、W+2s、AC-S、D+t128、J+、D+h100、Tingle若しくはCPD+;又は
b) 水溶液中に希釈されたA1+、A2+、B1+、CF+、C+、CO+、AC-C、AC-L、HC+、PBフォーム、M+、M+2、M+2s、W+、P+、W+2、W+2s、AC-S、D+t128、J+、D+h100、Tingle若しくはCPD+
である、
請求項1に記載の組成物。
【請求項１５】
a) 前記低減が、ATPを測定することにより、RLUでATPを測定することにより、若しくは面積当たりのCFUで細胞数を測定することにより、決定されるものであるか；又は
b) 前記低減が、0.1%〜1%、1%〜10%、10%〜20%、20%〜30%、30%〜40%、40%〜50%、50%〜60%、60%〜70%、70%〜80%、80%〜90%、若しくは90%〜100%である、
請求項1に記載の組成物。
【請求項１６】
請求項1〜15のいずれか1項に記載の組成物により環境を処理する工程を含む、環境中の病原体を低減させる方法。
【請求項１７】
請求項1〜15のいずれか1項に記載の組成物により環境を処理する工程を含む、環境中のバイオフィルムを低減させる方法。
【手続補正書】
【提出日】令和1年10月25日(2019.10.25)
【手続補正１】
【補正対象書類名】特許請求の範囲
【補正対象項目名】全文
【補正方法】変更
【補正の内容】
【特許請求の範囲】
【請求項１】
シンチレーション特性及び１０乃至５０ナノメートルの直径のナノ粒子と第１のマトリックス材料と有するシンチレータナノコンポジットの製造方法であって、
安定な懸濁液を形成するために、グリコールに前記ナノ粒子を添加するステップであって、前記グリコールが前記第１のマトリックス材料の前駆体である、ステップと、
前記第１のマトリックス材料を成形するために前記グリコールを硬化するステップと、
を有する方法。
【請求項２】
前記ナノ粒子が、ガーネットナノ粒子であり、好適にはセリウムドープされたナノ粒子であり、最も好適にはＹ３Ａｌ５Ｏ１２：Ｃｅナノ粒子、（Ｌｕ，Ｇｄ）３Ａｌ５Ｏ１２：Ｃｅナノ粒子又は（ＬＧＧＡＧ：Ｃｅ）ナノ粒子のグループから選択されるナノ粒子である、請求項１に記載の方法。
【請求項３】
前記第１のマトリックス材料が、ポリマー材料であり、好適にはポリウレタン、ポリブチレンテレフタレート、不飽和ポリエステル樹脂、芳香族ポリアミド、芳香族ポリイミド、ポリスチレン、ポリスルホン、及びポリエステルのグループから選択されるポリマー材料である、請求項１又は２に記載の方法。
【請求項４】
前記グリコールが、１，４−ブタンジオールである、請求項１乃至３のいずれか１項に記載の方法。
【請求項５】
第２の分散媒が、前記ナノ粒子を添加する前に又は前記安定な懸濁液を得る前に前記グリコールと混合され、前記第２の分散媒は、第２のマトリックス材料の前駆体である、請求項１乃至５のいずれか１項に記載の方法。
【請求項６】
前記第２のマトリックス材料が、ポリマー材料であり、好適にはポリウレタン、ポリブチレンテレフタレート、不飽和ポリエステル樹脂、芳香族ポリアミド、芳香族ポリイミド、ポリスチレン、ポリエステル、及びポリスルホンのグループから選択されるポリマー材料である、請求項５に記載の方法。
【請求項７】
前記硬化するステップが、前記第１のマトリクス材料及び前記第２のマトリクス材料のコポリマーを生成する、請求項６に記載の方法。
【請求項８】
前記硬化が、高温で、好適には摂氏２２０度乃至２５０度で、より好適には摂氏約２２５度で、及び／又は高圧で、好適には２０バールよりも高い圧力で、最も好適には２約４０バールの圧力で、及び／又は少なくとも２４時間の間、実施される、請求項１乃至７のいずれか１項に記載の方法。
【請求項９】
請求項１乃至８のいずれか１項に記載の方法から取得可能なシンチレータナノコンポジット。
【請求項１０】
前記第１のマトリクス材料が、ポリウレタンであり、より好適にはポリウレタンゲルである、請求項９に記載のシンチレータナノコンポジット。
【請求項１１】
請求項９又は１０に記載のシンチレータナノコンポジットを有する製品。
【請求項１２】
透明なシンチレータを生成する方法であって、
請求項１乃至９のいずれか１項に記載の方法によって得られたナノコンポジットを溶解するステップと、
溶解されたナノコンポジットを射出成形するステップと、
を有する方法。
【請求項１３】
請求項１２に記載の方法によって得られた透明なシンチレータ。
【請求項１４】
請求項１３に記載の透明なシンチレータを有する放射線検出器。
【請求項１５】
請求項１４に記載の放射線検出器を有するイメージングシステム。
【手続補正書】
【提出日】令和1年11月11日(2019.11.11)
【手続補正１】
【補正対象書類名】特許請求の範囲
【補正対象項目名】全文
【補正方法】変更
【補正の内容】
【特許請求の範囲】
【請求項１】
グラフィカルユーザインタフェースにおけるホイール構造を用いて臨床情報を閲覧するための方法を実行するための電子装置により読み取り可能及び実行可能な命令を保存する持続性記憶媒体であって、前記方法は、
臨床概念を医療レポートのテキスト部分に関連付けることにより医療レポートに注記付けするステップと、
臨床概念カテゴリを表す弧部分を含むルート概念環又は弧を構築し、表示装置に表示するステップと、
前記表示された概念環又は弧に対して動作するユーザ入力装置を介して、臨床概念カテゴリを表す弧部分のユーザ選択を受信し、ユーザ選択された臨床概念カテゴリが識別されるようにするステップと、
前記ユーザ選択された臨床概念カテゴリを拡張し、前記ルート概念環又は弧を少なくとも部分的に囲む、子概念環又は弧を構築及び表示するステップであって、前記子概念環又は弧は、前記ユーザ選択された臨床概念カテゴリの臨床概念を表す弧部分を含む、ステップと、
前記表示された子概念環又は弧に対して動作するユーザ入力装置を介して、臨床概念を表す弧部分のユーザ選択を受信し、ユーザ選択された臨床概念が識別されるようにするステップと、
前記ユーザ選択された臨床概念により注記付けされた医療レポートを表す弧部分又はブロックを有するタイムラインを構築し、前記子概念環又は弧に隣接して表示するステップと、
を有する、持続性記憶媒体。
【請求項２】
前記ユーザ選択された臨床概念により注記付けされた医療レポートを表す弧部分又はブロックは、前記ユーザ選択された臨床概念により注記付けされた医療レポートのテキスト部分の少なくとも一部を表示する、請求項１に記載の持続性記憶媒体。
【請求項３】
前記タイムラインは、前記子概念環又は弧を少なくとも部分的に囲むタイムライン環又は弧として表示される、請求項１に記載の持続性記憶媒体。
【請求項４】
前記方法は更に、
前記タイムラインに対して操作するユーザ入力装置を介して、医療レポートを表す弧部分又はブロックのユーザ選択を受信し、それによりユーザ選択された医療レポートが特定されるステップと、
前記ユーザ選択された医療レポートをポップアップウィンドウに表示するステップと、
を有する、請求項１乃至３のいずれか一項に記載の持続性記憶媒体。
【請求項５】
前記医療レポートは、放射線レポートを含む、請求項１乃至４のいずれか一項に記載の持続性記憶媒体。
【請求項６】
前記注記付けするステップは、自然言語処理及び正規表現の１つ以上を用いて、前記医療レポートのテキスト部分を注記付けし、医療オントロジーにおいて定義された臨床概念に、テキスト部分を関連付けるステップを有する、請求項１乃至５のいずれか一項に記載の持続性記憶媒体。
【請求項７】
前記子概念環又は弧を構築及び表示するステップは、
前記ユーザ選択された臨床概念カテゴリを拡張する前記子概念環又は弧を構築及び表示した後に、前記表示された子概念環又は弧に対して操作するユーザ入力装置を介して、前記子概念環又は弧の弧部分のユーザ選択を受信し、それにより、更なる拡張のための中間臨床概念が特定されるステップと、
前記ユーザ選択された中間臨床概念を拡張し、以前に表示された子概念環又は弧を少なくとも部分的に囲み、前記ユーザ選択された中間臨床概念のサブ概念である臨床概念を表す弧部分を含む、子概念環又は弧を構築及び表示するステップと、
を有する、請求項１乃至６のいずれか一項に記載の持続性記憶媒体。
【請求項８】
前記子概念環又は弧を構築及び表示するステップは、
スクロールアイコンにおいて終了する端を持つ弧として前記子概念環又は弧を表示するステップと、
前記ユーザ入力装置を介した前記スクロールアイコンのユーザ起動に応答して、前記子概念弧をスクロールし、前記ユーザ選択された臨床概念カテゴリの少なくとも１つの更なる臨床概念を表す少なくとも１つの更なる弧部分を表示するステップと、
を含む、請求項１乃至７のいずれか一項に記載の持続性記憶媒体。
【請求項９】
ルート領域及び外向きに拡張した領域を含む医療情報を表示するための電子装置であって、前記電子装置は、
表示装置と、
ユーザ入力装置と、
電子プロセッサと、
を有し、前記電子プロセッサは、
臨床概念カテゴリを表すアイコンを含むルート領域を構築し、前記表示装置に表示し、
前記ルート領域を少なくとも部分的に囲み、前記ルート領域から前記ユーザ入力装置を介して選択されたユーザ選択された臨床概念カテゴリの臨床概念を表すアイコンを含む、第１の外向きに拡張した領域を構築し、前記表示装置に表示し、
前記第１の外向きに拡張した領域から前記ユーザ入力装置を介して選択されたユーザ選択された臨床概念の臨床概念又は医療レポートを表すアイコンを含む第２の外向きに拡張した領域を構築し、前記表示装置に表示する
ようプログラムされた、電子装置。
【請求項１０】
前記第２の外向きに拡張した領域は、医療レポートを表すアイコンの直線状の垂直なタイムラインである、請求項９に記載の電子装置。
【請求項１１】
前記第２の外向きに拡張した領域は、医療レポートを表すアイコンの湾曲したタイムラインであり、前記湾曲したタイムラインは、前記第２の外向きに拡張した領域を少なくとも部分的に囲む、請求項９に記載の電子装置。
【請求項１２】
前記第２の外向きに拡張した領域は、前記ユーザ選択された臨床概念により注記付けされた医療レポートのテキスト部分を前記アイコンに表示することにより医療レポートを表すアイコンを含む、請求項９乃至１１のいずれか一項に記載の電子装置。
【請求項１３】
前記第１の外向きに拡張した領域は、環又は弧領域である、請求項９乃至１２のいずれか一項に記載の電子装置。
【請求項１４】
前記医療レポートは、自由形式のレポートを含み、
前記電子プロセッサは更に、自然言語処理及び正規表現の１つ以上を用いて、医療オントロジーの臨床概念により前記医療レポートを注記付けするようプログラムされた、
請求項１０乃至１３のいずれか一項に記載の電子装置。
【請求項１５】
前記ルート領域は、正方形の領域を有する、請求項９乃至１４のいずれか一項に記載の電子装置。
【手続補正書】
【提出日】平成31年3月27日(2019.3.27)
【手続補正１】
【補正対象書類名】特許請求の範囲
【補正対象項目名】全文
【補正方法】変更
【補正の内容】
【特許請求の範囲】
【請求項１】
少なくとも１つのポリマー、無機蓄積性蛍光体材料および銅フタロシアニンの青色色素を含む無機蓄積性蛍光体層を含む、独立型無機蓄積性蛍光体パネルであって、
前記無機蓄積性蛍光体層は、前記少なくとも１種のポリマー、前記無機蓄積性蛍光体材料、および前記銅フタロシアニンの青色色素を溶融混合して溶融物を形成し、前記溶融物を溶融押出、射出成形またはホットプレスすることによって形成され、
前記無機蓄積性蛍光体層が、０．７以下である線形ピクセル値における変動係数を有することを特徴とする独立型無機蓄積性蛍光体パネル。
【請求項２】
請求項１に記載の蓄積性蛍光体パネルであって、前記線形ピクセル値における変動係数が、０．５以下であることを特徴とする蓄積性蛍光体パネル。
【請求項３】
請求項１に記載の蓄積性蛍光体パネルであって、前記線形ピクセル値における変動係数が、０．４以下であることを特徴とする蓄積性蛍光体パネル。
【請求項４】
請求項１に記載の蓄積性蛍光体パネルであって、前記無機蓄積性蛍光体材料は、粒子を含み、その粒子の９５％が直径６．８μｍ以下でありかつその粒子の９５％が直径１．０μｍ以上であることを特徴とする蓄積性蛍光体パネル。
【請求項５】
請求項１に記載の蓄積性蛍光体パネルであって、前記無機蓄積性蛍光体材料の粒子の９５％が直径６．８μｍ以下であることを特徴とする蓄積性蛍光体パネル。
【請求項６】
請求項１に記載の蓄積性蛍光体パネルであって、前記無機蓄積性蛍光体材料の粒子の５０％が直径３．８μｍ以下であることを特徴とする蓄積性蛍光体パネル。
【請求項７】
請求項１に記載の蓄積性蛍光体パネルであって、前記ポリマーが、少なくとも１つの熱可塑性ポリオレフィンを含むことを特徴とする蓄積性蛍光体パネル。
【請求項８】
少なくとも１つの熱可塑性ポリオレフィン、無機蓄積性蛍光体材料および銅フタロシアニンの青色色素を含む無機蓄積性蛍光体層を含む、独立型無機蓄積性蛍光体パネルであって、
前記無機蓄積性蛍光体材料は、粒子を含み、その粒子の９５％が直径６．８μｍ以下でありかつその粒子の９５％が直径１．０μｍ以上であり、
前記無機蓄積性蛍光体層は、前記少なくとも１種のポリマー、前記無機蓄積性蛍光体材料、および前記銅フタロシアニンの青色色素を溶融混合して溶融物を形成し、前記溶融物を溶融押出、射出成形またはホットプレスすることによって形成され、
前記無機蓄積性蛍光体層が、０．４以下である線形ピクセル値における変動係数を有することを特徴とする独立型無機蓄積性蛍光体パネル。
【請求項９】
無機蓄積性蛍光体パネルのための方法であって、
少なくとも１つの熱可塑性ポリオレフィン、無機蓄積性蛍光体材料および銅フタロシアニン青色色素を含む無機蓄積性蛍光体層を溶融混合して、溶融物を製造するステップと、
前記溶融物を、溶融押出、射出成形またはホットプレスして、製造無機蓄積性蛍光体パネルを形成するステップと、を含み、
前記製造無機蓄積性蛍光体層が、０．４以下である線形ピクセル値における変動係数を有することを特徴とする方法。
【請求項１０】
請求項９に記載の方法であって、前記製造無機蓄積性蛍光体層は、粒子を含み、その粒子の９５％が直径６．８μｍ以下でありかつその粒子の９５％が直径１．０μｍ以上であることを特徴とする方法。
【手続補正書】
【提出日】令和1年10月10日(2019.10.10)
【手続補正１】
【補正対象書類名】特許請求の範囲
【補正対象項目名】全文
【補正方法】変更
【補正の内容】
【特許請求の範囲】
【請求項１】
ユーザに言語インタフェースを提供するための第１の統合コンポーネントを含む統合セクションと、
前記第１の統合コンポーネントからの言語イベントを処理するためのパーサを含むイベント処理セクションと、
前記イベント処理セクションから代替の出力を受信し、動作を選択し、前記受信した代替の出力に基づいて前記動作を実行させるように構成されたダイアログマネージャと
を含む対話システムであって、
前記ユーザとの対話のダイアログ状態のためのストレージをさらに含み、前記イベント処理セクションからの前記代替の出力が、現在のダイアログ状態から次のダイアログ状態への代替の移行を表す、対話システムであり、
複数のテンプレートのためのストレージをさらに含み、各ダイアログ状態が、前記テンプレートの１つまたは複数のインスタンスの相互関係の観点から定義される、対話システム。
【請求項２】
前記パーサは、前記代替の出力を決定するために、現在のダイアログ状態および複数の前記テンプレートに従って言語入力を処理するように構成されている、請求項１に記載のシステム。
【請求項３】
前記テンプレートは、複数の入力フィールドおよび前記入力フィールドから演算可能な出力を定義する、請求項２に記載のシステム。
【請求項４】
前記テンプレートは、複数の動作を指定する、請求項３に記載のシステム。
【請求項５】
前記パーサは、前記現在のダイアログ状態の変更形態として前記代替の出力を決定するようにさらに構成されている、請求項２に記載のシステム。
【請求項６】
前記現在のダイアログ状態の前記変更形態は、前記現在のダイアログ状態のテンプレートのインスタンスの相互関係の変化、テンプレートのインスタンスの追加または除去、および、テンプレートのインスタンスの入力フィールド値の設定の少なくとも１つを表す、請求項５に記載のシステム。
【請求項７】
前記代替の出力の少なくともいくつかの各々は、１つまたは複数の動作と関連付けられ、前記ダイアログマネージャは、前記代替の出力に従って動作を選択するように構成されている、請求項２に記載のシステム。
【請求項８】
前記第１の統合コンポーネントは、前記ユーザから音声入力を受信し、前記パーサに対するテキストベースの言語イベントを決定するように構成された自動音声認識装置を含む、請求項１に記載のシステム。
【請求項９】
前記統合セクションは、外部のアプリケーションとのインタフェースおよび前記イベント処理セクションにアプリケーション関連イベントを提供するアプリケーション統合コンポーネントをさらに含む、請求項１に記載のシステム。
【請求項１０】
前記アプリケーション関連イベントは、ユーザインタフェースイベント、コミュニケーションイベントおよびデータアクセスイベントの少なくとも１つを含む、請求項９に記載のシステム。
【請求項１１】
顕著な情報を記憶するストレージをさらに含み、前記イベント処理セクションによって受信されたイベントの処理に従って前記顕著な情報を更新するように構成され、前記パーサが、前記イベント処理セクションによって処理された以前のイベントから決定された顕著な特徴の情報を使用して言語入力を処理するように構成されている、請求項１に記載のシステム。
【請求項１２】
前記ダイアログマネージャは、前記代替の出力に従って動作を選択する機械学習コンポーネントを含む、請求項１に記載のシステム。
【請求項１３】
ユーザに言語インタフェースを提供するための統合コンポーネントを含む統合セクションと、
前記統合コンポーネントからの言語イベントを処理するためのパーサを含むイベント処理セクションと、
前記イベント処理セクションから代替の出力を受信し、動作を選択し、前記受信した代替の出力に基づいて前記動作を実行させるように構成されたダイアログマネージャと
を含む対話システムであって、
前記ユーザとの対話のダイアログ状態のためのストレージをさらに含み、前記イベント処理セクションからの前記代替の出力が、現在のダイアログ状態から次のダイアログ状態への代替の移行を表す、対話システムであり、
複数のテンプレートのためのストレージをさらに含み、各ダイアログ状態が、テンプレートのグラフで定義され、前記テンプレートは、少なくとも１つの入力を有するルートテンプレート及び少なくとも１つの子テンプレートを含み、それぞれの前記子テンプレートは、ルートテンプレートの入力に方向付けられたリンクを介して接続されている出力を有している、対話システム。
【請求項１４】
前記パーサは、前記代替の出力を決定するために、現在のダイアログ状態および複数の前記テンプレートに従って言語入力を処理するように構成されている、請求項１３に記載のシステム。
【請求項１５】
前記パーサは、前記現在のダイアログ状態の変更形態として前記代替の出力を決定するようにさらに構成されている、請求項１４に記載のシステム。
【請求項１６】
前記現在のダイアログ状態の前記変更形態は、前記現在のダイアログ状態のテンプレートのインスタンスの相互関係の変化、テンプレートのインスタンスの追加または除去、および、テンプレートのインスタンスの入力フィールド値の設定の少なくとも１つを表す、請求項１５に記載のシステム。
【請求項１７】
ダイアログを介してユーザと対話する方法であって、
ユーザに言語インタフェースを提供するための統合コンポーネントを操作することと、
前記統合コンポーネントから言語イベントを処理するためのパーサを操作することと、
代替の出力を前記パーサから受信し、動作を選択し、前記受信した代替の出力に基づいて前記動作を実行させるように構成されたダイアログマネージャを操作することと、
複数のテンプレート及びユーザとの対話のためのダイアログ状態を維持することであって、前記ダイアログ状態は、テンプレートのグラフで定義され、前記テンプレートは、少なくとも１つの入力を有するルートテンプレート及び少なくとも１つの子テンプレートを含み、それぞれの前記子テンプレートは、ルートテンプレートの入力に方向付けられたリンクを介して接続されている出力を有している、
前記パーサからの代替の出力に基づいて、現在のダイアログ状態から次のダイアログ状態への代替の移行を選択することで、現在のダイアログ状態を次のダイアログ状態へ移行させることと、
を含む、方法。
【請求項１８】
前記パーサは、前記代替の出力を決定するために、現在のダイアログ状態および複数の前記テンプレートに従って言語入力を処理するように構成されている、請求項１７に記載の方法。
【請求項１９】
前記パーサは、前記現在のダイアログ状態の変更形態として前記代替の出力を決定するようにさらに構成されている、請求項１８に記載の方法。
【請求項２０】
前記現在のダイアログ状態の前記変更形態は、前記現在のダイアログ状態のテンプレートのインスタンスの相互関係の変化、テンプレートのインスタンスの追加または除去、および、テンプレートのインスタンスの入力フィールド値の設定の少なくとも１つを表す、請求項１９に記載の方法。
【手続補正書】
【提出日】令和1年10月15日(2019.10.15)
【手続補正１】
【補正対象書類名】明細書
【補正対象項目名】００２７
【補正方法】変更
【補正の内容】
【００２７】
ある実施形態においては、アプリケーションプログラムに最初にログインする時、端末は、パスワード記録方法を通して第１のセッション識別子に対応する文字列をサーバに送信でき、第１のセッション識別子を第１の端末にローカルに記録できる。アプリケーションプログラムに再度、ログインする時、端末は、記録された第１のセッション識別子を用いてアプリケーションプログラムにログインできるので、ユーザがログインパスワードを再入力する動作を回避できる。ある実施形態においては、第１のセッション識別子を生成する方法は、サーバによって決定できる。第１のセッション識別子は、ユーザのログインアカウント及び元のパスワードに基づいて、ｍｄ５またはｓｈａ１等のハッシュアルゴリズムを用いて生成できる。例えば、ログインアカウント及び元のパスワードであるｚｈａｎｇｘｉａｏ及びｚｘ０９８と、ログインタイムスタンプ２０１５１０２６に基づいて、第１のセッション識別子（３ＥＣ３ＥＤ３８１Ｂ９ＣＦ４３５９Ｆ４Ｃ１ＣＢ０２ＣＤＦ６４）が、ｍｄ５アルゴリズムを通して、ログインアカウント、元のパスワード、及び、タイムスタンプにＭＤ５アルゴリズムの列計算を行うことによって取得される。
【手続補正２】
【補正対象書類名】明細書
【補正対象項目名】００６６
【補正方法】変更
【補正の内容】
【００６６】
ある実施形態においては、検証結果及び検証結果に対応する乱数が、端末が検証結果をサーバに送信する前に、サーバの対称秘密鍵を用いて暗号化される場合、暗号化された検証結果がサーバに送信される。この場合、サーバは、さらに、対称秘密鍵を用いて、暗号化された検証結果を復号化する必要がある。
【手続補正３】
【補正対象書類名】図面
【補正対象項目名】図４
【補正方法】変更
【補正の内容】
【図４】
2019502189.tif 000001
【手続補正４】
【補正対象書類名】図面
【補正対象項目名】図１２
【補正方法】変更
【補正の内容】
【図１２】
2019502189.tif 000002
【手続補正書】
【提出日】令和1年9月30日(2019.9.30)
【手続補正１】
【補正対象書類名】特許請求の範囲
【補正対象項目名】全文
【補正方法】変更
【補正の内容】
【特許請求の範囲】
【請求項１】
水蒸気、二酸化炭素及び／又はエタノール蒸気に対する誘電ガスセンサーにおける感応物質としてのバイオポリマーの使用であって、前記バイオポリマーが１種以上の植物性タンパク質を含む、使用。
【請求項２】
前記バイオポリマーが、その１以上の電気的又は誘電パラメーターが、それが配置された気体組成物中の水蒸気、二酸化炭素及び／又はエタノール蒸気の濃度に応じて変化するバイオポリマーである、請求項１に記載の使用。
【請求項３】
前記バイオポリマーが、１の植物性バイオポリマー又は複数の植物性バイオポリマーの混合物からなるか、或いは植物性バイオポリマーと動物性バイオポリマーの混合物を含む、請求項１又は請求項２に記載の使用。
【請求項４】
前記動物性バイオポリマーが動物性タンパク質を含む、請求項３記載の方法。
【請求項５】
１種以上の植物性タンパク質を含むバイオポリマーが、１の植物性バイオポリマーからなる、請求項１乃至請求項４のいずれか１項に記載の使用。
【請求項６】
植物性バイオポリマーが、小麦グルテン、ゼイン、米タンパク質、ソルガムタンパク質、エンドウタンパク質、ヒヨコマメタンパク質、ルピナスタンパク質、キャノーラタンパク質又は大豆タンパク質である、請求項５に記載の使用。
【請求項７】
前記バイオポリマーが、１以上の電極の少なくとも一部と接触するコーティングの形態であり、前記電極が誘電ガスセンサーに含まれる、請求項１乃至請求項４のいずれか１項に記載の使用。
【請求項８】
前記誘電ガスセンサーが、前記バイオポリマーを含むコーティングによって少なくとも部分的に被覆されたインターディジタルキャパシターを備える、請求項１乃至請求項５のいずれか１項に記載の使用。
【請求項９】
気体組成物中の水蒸気、二酸化炭素及び／又はエタノール蒸気の存在及び／又は含有量を分析するための方法であって、
ａ．バイオポリマーを前記気体組成物と接触させる工程であって、該バイオポリマーが１種以上の植物性タンパク質を含む、工程と、
ｂ．前記バイオポリマーを通して１以上の電気的又は誘電パラメーターを測定する工程と、
ｃ．工程ｂで行った測定を解釈すること、場合によって対照値と比較することによって、前記気体組成物中の水蒸気、二酸化炭素及び／又はエタノール蒸気の存在及び／又は含有量を評価する工程と
を含む方法。
【請求項１０】
前記バイオポリマーが誘電ガスセンサー内にある、請求項９に記載の方法。
【請求項１１】
前記気体組成物中の相対湿度が７０％以上である、請求項９又は請求項１０に記載の方法。
【請求項１２】
包装された腐りやすい製品の新鮮度及び／又は食用適性を示す方法であって、
ａ．読み取り可能な誘電ガスセンサーを前記腐りやすい製品の包装のヘッドスペースと接触させる工程であって、前記誘電ガスセンサーが、バイオポリマーと少なくとも部分的に接触する１以上の電極を含んでおり、前記バイオポリマーが１種以上の植物性タンパク質を含む、工程と、
ｂ．前記誘電ガスセンサーの電極を通して１以上の電気的又は誘電パラメーターの１以上の値を収集する工程と、
ｃ．工程ｂで収集した値を解釈すること、場合によって対照値と比較することによって、前記包装された腐りやすい製品の新鮮度及び／又は食用適性を評価する工程と
を含む方法。
【請求項１３】
前記包装された腐りやすい製品が包装された生鮮食品である、請求項１２に記載の方法。
【請求項１４】
前記読み取り可能な誘電ガスセンサーがＲＦＩＤタグを備える、請求項１２又は請求項１３に記載の方法。
【請求項１５】
前記収集工程がＲＦ技術を用いて実施される、請求項１４に記載の方法。
【請求項１６】
前記バイオポリマーが、請求項２乃至請求項７のいずれか１項に定義されたものである、請求項１２乃至請求項１５のいずれか１項に記載の方法。
【請求項１７】
ＲＦ技術によってリモート読み取り可能な、包装された腐りやすい製品の新鮮度及び／又は食用適性を示すための誘電ガスセンサーであって、バイオポリマーを含む組成物と少なくとも部分的に接触する電極と、ＲＦＩＤタグとを備える誘電ガスセンサー。
【手続補正書】
【提出日】令和1年9月11日(2019.9.11)
【手続補正１】
【補正対象書類名】特許請求の範囲
【補正対象項目名】全文
【補正方法】変更
【補正の内容】
【特許請求の範囲】
【請求項１】
マスクの内部に配置された面体と、
接顔体に連結されて前記面体を覆うレンズと、
前記レンズと前記面体との間に配置されたフィードバックシステムであって、
前記面体に連結されたディスプレイ装置と、
前記ディスプレイ装置に連結され、前記ディスプレイ装置に電力を供給するために前記ディスプレイ装置に電気的に接続されている電源と、
を含むフィードバックシステムと、
前記レンズの外部に配置されて、前記ディスプレイ装置とデータを通信するように動作可能な記録デバイスと、
を備える、装置。
【請求項２】
前記記録デバイスの主ハウジング内に配置されて前記記録デバイスに電力を供給する第２の電源を更に備える、請求項１に記載の装置。
【請求項３】
前記ディスプレイ装置は、
シャーシカバーに連結され、前記面体の保持フランジを部分的に取り囲むフランジを含むシャーシと、
前記シャーシに回動可能に連結され、光学系及びディスプレイを収容するアイピースと、
を含む、請求項２に記載の装置。
【請求項４】
マスクの内部に配置された面体と、
接顔体に連結されて前記面体を覆うレンズと、
前記レンズと前記面体との間に配置されたフィードバックシステムであって、
前記面体に連結され、第１のデータ通信システムを含むディスプレイ装置と、
前記ディスプレイ装置に連結され、前記ディスプレイ装置に電力を供給するために前記ディスプレイ装置に電気的に接続されている電源と、
を含む、フィードバックシステムと、
前記レンズ及び前記接顔体の外部にあるフィードバックデバイスであって、カメラと、前記ディスプレイ装置にデータを無線通信するように動作可能な第２のデータ通信システムとを含む、フィードバックデバイスと、
を備える、マスク内フィードバックシステム。
【請求項５】
着用者の鼻及び口を取り囲むように構成された面体と、
前記面体の周りに延びる接顔体と、
前記接顔体に連結され、前記面体上に延びるレンズと、
前記レンズと前記面体との間に配置されたマスク内フィードバックシステムであって、
前記面体に連結され、第１のデータ通信システムを含むディスプレイ装置と、
前記ディスプレイ装置に連結され、前記ディスプレイ装置に電力を供給するために前記ディスプレイ装置に電気的に接続されている電源であって、前記レンズの遠位端と前記面体との間に配置される電源と、
を含むマスク内フィードバックシステムと、
前記接顔体に連結された前記レンズの外部にあるフィードバックデバイスであって、カメラと、前記ディスプレイ装置とデータを無線通信するように動作可能な第２の通信システムと、を含むフィードバックデバイスと、
を備える、マスク。
【手続補正書】
【提出日】令和1年9月2日(2019.9.2)
【手続補正１】
【補正対象書類名】特許請求の範囲
【補正対象項目名】全文
【補正方法】変更
【補正の内容】
【特許請求の範囲】
【請求項１】
従属エンティティが非スケジュールドアップリンク送信を送信するための方法であって、
スケジューリングエンティティから、非スケジュールド支援情報を受信するステップであって、前記非スケジュールド支援情報が、少なくとも利用可能なリソースのサブセットについて、前記利用可能なリソースのサブセットから各リソースを前記従属エンティティが選択するであろうそれぞれの確率を示す確率分布を備える、ステップと、
前記非スケジュールド支援情報に基づいて、非スケジュールドアップリンク送信のために、前記利用可能なリソースから少なくとも1つの選択されたリソースを選択するステップと、
前記少なくとも1つの選択されたリソースを使用して、前記非スケジュールドアップリンク送信を送信するステップと
を含む方法。
【請求項２】
前記少なくとも1つの選択されたリソースが、タイムスロット、周波数、送信電力設定、変調およびコーディング方式、またはMIMOビームフォーミング設定のうちの少なくとも1つを備える、請求項1に記載の方法。
【請求項３】
前記非スケジュールド支援情報が、時間リソース情報、周波数リソース情報、送信電力設定情報、変調およびコーディング方式情報、または多入力多出力(MIMO)プリコーディングおよびランク選定情報のうちの少なくとも1つをさらに備える、請求項1に記載の方法。
【請求項４】
前記非スケジュールド支援情報が、前記時間リソース情報、前記周波数リソース情報、前記送信電力設定情報、前記変調およびコーディング方式情報、または前記多入力多出力(MIMO)プリコーディングおよびランク選定情報のうちの少なくとも2つの組合せを備える、請求項3に記載の方法。
【請求項５】
前記非スケジュールド支援情報が、非スケジュールドアップリンク送信のために、タイムスロット、周波数、送信電力設定、変調およびコーディング方式、またはMIMOビームフォーミング設定のうちの1つまたは複数を選択することにおいて使用するための前記それぞれの確率をさらに示す、請求項1に記載の方法。
【請求項６】
前記確率分布が、非均一確率分布をさらに備える、請求項1に記載の方法。
【請求項７】
前記非スケジュールド支援情報が、非スケジュールドアップリンク送信のために、タイムスロット、周波数、送信電力設定、変調およびコーディング方式、またはMIMOビームフォーミング設定のうちの2つ以上の各組合せを選択することにおいて使用するための前記それぞれの確率をさらに示す、請求項1に記載の方法。
【請求項８】
前記スケジューリングエンティティに送信されるべきデータが、ミッションクリティカルなアプリケーションに関係するとの決定に応答して、前記非スケジュールドアップリンク送信を生成するステップ
をさらに含む、請求項1に記載の方法。
【請求項９】
ワイヤレス通信ネットワークにおいてスケジューリングエンティティと通信するための従属エンティティ装置であって、
前記スケジューリングエンティティから、非スケジュールド支援情報を受信するための手段であって、前記非スケジュールド支援情報が、少なくとも利用可能なリソースのサブセットについて、前記利用可能なリソースのサブセットから各リソースを従属エンティティが選択するであろうそれぞれの確率を示す確率分布を備える、手段と、
前記非スケジュールド支援情報に基づいて、非スケジュールドアップリンク送信のために、前記利用可能なリソースから少なくとも1つの選択されたリソースを選択するための手段と、
前記スケジューリングエンティティに、前記非スケジュールドアップリンク送信を送信するための手段であって、前記非スケジュールドアップリンク送信が、前記少なくとも1つの選択されたリソースを利用する、手段と
を備える従属エンティティ装置。
【請求項１０】
スケジューリングエンティティが非スケジュールドアップリンク送信をサポートするための方法であって、
少なくとも利用可能なリソースのサブセットについて、非スケジュールドアップリンク送信のために、前記利用可能なリソースのサブセットから各リソースを従属エンティティが選択するであろうそれぞれの確率を示す確率分布を備える、非スケジュールド支援情報を決定するステップと、
前記従属エンティティに、前記非スケジュールド支援情報を含む制御メッセージを送信するステップと、
前記従属エンティティから、非スケジュールドアップリンク送信を受信するステップであって、前記非スケジュールドアップリンク送信が、前記非スケジュールド支援情報に基づいて、前記従属エンティティによって選択された、前記利用可能なリソースからの少なくとも1つの選択されたリソースを利用する、ステップと
を含む方法。
【請求項１１】
前記制御メッセージを送信するステップが、
ユニキャストメッセージにおいて、それぞれの確率分布を送信するステップ
をさらに含む、請求項10に記載の方法。
【請求項１２】
前記制御メッセージを送信するステップが、
各サブフレームにおいて、それぞれの非スケジュールド支援情報を含む、それぞれの制御メッセージを送信するステップ
をさらに含む、請求項10に記載の方法。
【請求項１３】
1つまたは複数の他のスケジューリングエンティティに、前記非スケジュールド支援情報を送信するステップ
をさらに含む、請求項10に記載の方法。
【請求項１４】
非スケジュールドアップリンク送信をサポートするように構成された、スケジューリングエンティティ装置であって、
少なくとも利用可能なリソースのサブセットについて、非スケジュールドアップリンク送信のために、前記利用可能なリソースのサブセットから各リソースを従属エンティティが選択するであろうそれぞれの確率を示す確率分布を備える、非スケジュールド支援情報を決定するための手段と、
前記従属エンティティに、前記非スケジュールド支援情報を含む制御メッセージを送信するための手段と、
前記従属エンティティから、非スケジュールドアップリンク送信を受信するための手段であって、前記非スケジュールドアップリンク送信が、前記非スケジュールド支援情報に基づいて、前記従属エンティティによって選択された、前記利用可能なリソースからの少なくとも1つの選択されたリソースを利用する、手段と
を備えるスケジューリングエンティティ装置。
【請求項１５】
実行時に、請求項１〜８または１０〜１３のいずれか一項に記載の方法をコンピュータに実行させるコンピュータ実行可能コードを記憶したコンピュータ可読記憶媒体。